(57)【要約】【課題】自動取引装置における操作時の暗証番号の秘匿性を向上する。【解決手段】自動取引装置１００に設けられた操作ユニット２００は、数字キー２６０等と無効キー２２０とを有するキー機構２１０を備える。無効キー２２０と同時押下される場合、数字キー２６０等の押下げは無効である。同時押下によるフェイクの操作を交えつつパスワードが入力されることで、自動取引装置１００周辺の第三者に操作を盗み見られる場合でも、当該パスワードを秘匿することができる。【選択図】  図１
2004185458.tif 000002
【特許請求の範囲】
【請求項１】
自動取引装置に設けられ、ユーザの操作に基づいて所定のユーザ入力を入力するユーザ入力認識装置であって、
前記ユーザが操作するための入力機構と、
前記操作に基づいて前記ユーザ入力を認識する認識部とを備え、
前記入力機構が操作された場合でも、所定の条件下で、該操作に基づく前記認識を前記認識部に禁止する禁止部とを備えるユーザ入力認識装置。
【請求項２】
請求項１記載のユーザ入力認識装置であって、
前記操作に基づいて、ユーザが知覚可能な、視覚的又は聴覚的な出力を行う出力部を備え、
該出力部は、前記禁止が行われる場合にも前記出力を行うユーザ入力認識装置。
【請求項３】
請求項１記載のユーザ入力認識装置であって、
所定のダミー指示を入力する指示機構を備え、
前記禁止部は、該ダミー指示と関連付けられた所定の前記操作について前記禁止を行うユーザ入力認識装置。
【請求項４】
請求項３記載のユーザ入力認識装置であって、
前記指示機構は、押下可能なキーであり、
前記禁止部は、該キーの押下と同時の前記操作について前記禁止を行うユーザ入力認識装置。
【請求項５】
請求項１記載のユーザ入力認識装置であって、
前記入力機構は、押下可能なキーを備え、
前記認識部は該押下に基づいて前記認識を行うユーザ入力認識装置。
【請求項６】
請求項５記載のユーザ入力認識装置であって、
前記キーは、押下のモードが２つ以上あり、
前記禁止部は、少なくとも１つの前記モードによる前記押下である場合、該押下に基づく前記認識の禁止を行うユーザ入力認識装置。
【発明の詳細な説明】
【０００１】
【発明の属する技術分野】
本発明は、所定の取引を行う自動取引装置に設けられ、ユーザの操作に基づいて所定のユーザ入力を認識するユーザ入力認識装置に関する。
【０００２】
【従来の技術】
従来、ユーザとの所定の取引を自動的に行う自動取引装置が実用となっている。自動取引装置では、タッチパネルやテンキー等の入力機構に対するユーザの操作に基づいて暗証番号などの入力が行われる。自動取引装置は、かかる入力に基づいてユーザが所望する取引を実現する。例えば、金融機関のＡＴＭ（Ａｕｔｏｍａｔｉｃ  Ｔｅｌｌｅｒ  Ｍａｃｈｉｎｅ）には、暗証番号や取引金額の入力を行うための、テンキー等のキー入力装置が設けられている。ユーザは、キー入力を行うことで、所望の金融取引を実現することができる。
【０００３】
【特許文献１】
特表平９−５０７７２９
【０００４】
【発明が解決しようとする課題】
しかし、ＡＴＭに設けられたテンキーが操作されるときに、ユーザの腕や指の動きが後ろから覗き見られ、暗証番号等が把握されるおそれがある。悪意の犯罪者に暗証番号が知られると、ＡＴＭの管理者やユーザに甚大な損害が生じるおそれがある。また、単なる取引金額等であっても、通常のユーザはそれを秘匿したいと考えるものである。
【０００５】
もちろん、後ろから覗き見られにくいＡＴＭの構成を利用したり、各ＡＴＭを公衆から隔離された個室に設けたりすることも考えられる。しかし、係る方法を利用すると、今度は、ＡＴＭやＡＴＭコーナーの利便性に支障をきたしたり、ＡＴＭの設置者や管理者に大きなコストが生じたりする。
【０００６】
上述の課題は、ＡＴＭに限らず、自動取引装置に設けられ、ユーザの操作に基づいて所定のユーザ入力を入力するユーザ入力認識装置を利用する場合に共通する課題であった。
【０００７】
本発明は、上述の課題を解決するためになされたものであり、自動取引装置に設けられるユーザ入力認識装置における、ユーザ入力の秘匿性を向上することを目的とする。
【０００８】
【課題を解決するための手段およびその作用・効果】
上記課題の少なくとも一部を解決するために、本発明では、次の構成を適用した。
本発明のユーザ入力認識装置は、自動取引装置に設けられ、ユーザの操作に基づいて所定のユーザ入力を入力するユーザ入力認識装置であって、前記ユーザが操作するための入力機構と、前記操作に基づいて前記ユーザ入力を認識する認識部とを備え、前記入力機構が操作された場合でも、所定の条件下で、該操作に基づく前記認識を前記認識部に禁止する禁止部とを備えることを要旨とする。
【０００９】
このようにすることで、自動取引装置のユーザ入力を第三者に秘匿することができる。第三者は、ユーザの操作のうちで、禁止部の禁止に係るものとそうでないものを区別しなければならないためである。自動取引装置のユーザは、当該第三者を騙したり、混乱させたりするフェイクの操作を、本来の操作に交えることで、暗証番号等取引の具体的内容を秘匿することができる。また、かかる秘匿性のため、自動取引装置自体の構成や、その設置場所の自由度が高まる。ユーザの操作が第三者に見られることが許容されるためである。
【００１０】
なお、自動取引装置は、銀行のＡＴＭ、鉄道等の券売機、飲料等の自動販売機、チケット等の発行機など、種々のものを適用することができる。
【００１１】
入力機構には、ユーザの入力を機械的・電気的・音声的・光学的に取得する種々
のスイッチやセンサ、液晶タッチパネルを利用することができる。
【００１２】
認識部は、入力機構から電気等の信号を受けるものとしてもよいし、油圧ケーブル等の物理的又は機械的な機構によりユーザ操作が伝えられるものとしてもよい。
【００１３】
禁止部は、ソフトウェア的に禁止条件の判断を行うものとしてもよい。また、電気信号の伝達を物理的又は電気的に遮断するものであってもよい。例えば、禁止条件に応じた論理回路等を利用してもよい。さらに、クラッチ等のように、機械的な機構による伝達の阻害を行うものであってもよい。
【００１４】
なお、ユーザ入力認識装置は、フェイクの操作の形態・種類を記憶する設定部を有しているものとしてもよい。ここで当該記憶は、ユーザごとに行うことが望ましい。例えば、テンキーを利用している場合において、設定された所定の数値や数値列についてはキーの押下げが無視されるものとしてもよい。
【００１５】
本発明のユーザ入力認識装置において、前記操作に基づいて、ユーザが知覚可能な、視覚的又は聴覚的な出力を行う出力部を備え、該出力部は、前記禁止が行われる場合にも前記出力を行うものとしてもよい。
【００１６】
このようにすることで、本来の操作とフェイクの操作との区別が第三者に困難となる。視覚的又は聴覚的な出力が、フェイクの操作であるか否かに関わらず行われるためである。なお、視覚的又は聴覚的な出力は、液晶パネル又はランプ等による表示や、電子音の発生等を利用することができる。
【００１７】
本発明のユーザ入力認識装置において、所定のダミー指示を入力する指示機構を備え、前記禁止部は、該ダミー指示と関連付けられた所定の前記操作について前記禁止を行うものとしてもよい。
【００１８】
このようにすることで、ユーザの所望のタイミングでフェイク操作を利用することができる。
【００１９】
例えば、テンキーと無効キーとにより暗証番号が入力されるユーザ入力認識装置としてもよい。テンキーにおける数字キーの押下は、無効キーと同時押下された場合には、禁止部の機能により無視される。無効キーとの同時押下が、フェイクの操作である。かかるフェイクの操作が本来の操作に適宜交えられることで、操作の覗き見により暗証番号が第三者に把握されるのを防ぐことができる。
【００２０】
例えば、ダミー指示と同時の操作が無視されるものとしてもよいし、ダミー指示の直後の操作が無視されるものとしてもよいし、ダミー指示の直前の操作について無効化が行われるものとしてもよい。ダミー指示の直後の操作が無視される場合、そのダミー指示には所定の有効期限があるものとしてもよい。
【００２１】
また、ダミー指示の利用がユーザに強制されるものとしてもよい。セキュリティの観点のためである。例えば、暗証番号の入力において、所定回数以上その他所定の態様でダミー指示が利用されている場合にのみ、当該入力が有効と扱われるものとしてもよい。ここで、所定の態様は、ユーザに対応付けられたセキュリティレベルに応じて定まるものとしてもよい。
【００２２】
本発明のユーザ入力認識装置において、前記指示機構は、押下可能なキーであり、前記禁止部は、該キーの押下と同時の前記操作について前記禁止を行うものとしてもよい。
【００２３】
例えば、０〜９の数字キーを有するテンキーと、ダミー指示を入力するキーとを有するユーザ入力認識装置により、暗証番号等を表す数値列が入力されるものとしてもよい。
【００２４】
指示機構には、ユーザの入力を機械的・電気的・音声的・光学的に取得する種々のスイッチやセンサ、キー、液晶タッチパネルを利用するものとしてもよい。なお、指示機構は、入力機構と同一又は類似の構成を有するものとしてもよいし、入力機構と大きく異なる構成を有するものとしてもよい。また、指示機構は入力機構の近辺に設けるものとしてもよいし、入力機構と物理的に分離して設けるものとしてもよい。
【００２５】
本発明のユーザ入力認識装置において、前記入力機構は、押下可能なキーを備え、前記認識部は該押下に基づいて前記認識を行うものとしてもよい。
【００２６】
本発明のユーザ入力認識装置において、前記キーは、押下のモードが２つ以上あり、前記禁止部は、少なくとも１つの前記モードによる前記押下である場合、該押下に基づく前記認識の禁止を行うものとしてもよい。
【００２７】
このようにすることで、本来の操作とフェイクの操作との第三者の区別を困難なものとすることができる。例えば、押下モードは、半押し／全押しなどの押下げ量、押し圧力、押し部位、押下げ時間、又はこれらの組合せなどで区別されるものとすることができる。
【００２８】
上述の場合において、フェイクの操作に係るモードでの押下の場合は信号が認識部に送付されないような回路構成等が禁止部に相当するものとしてもよい。かかる場合の認識部は、当該キーから検出する全ての信号を、フェイクでない操作に係るものと認めれば足りる。
【００２９】
本発明は、ユーザ入力認識装置としての態様の他、ユーザ入力認識装置の制御方法、ユーザ入力認識方法など種々の態様で構成することが可能である。また、これらの方法をコンピュータによって実現するコンピュータプログラム自身またはこれと同視し得る信号として構成してもよい。更に、これらのコンピュータプログラムを記録した記録媒体として構成してもよい。
【００３０】
ここで記憶媒体としては、フレキシブルディスクやＣＤ−ＲＯＭ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置などコンピュータが読取り可能な種々の媒体を利用できる。
【００３１】
【発明の実施の形態】
以下、本発明の実施の形態について、実施例に基づき以下の順序で説明する。
Ａ．システム構成：
Ｂ．機能ブロック構成：
Ｃ．処理：
Ｄ．２重キー：
Ｅ．回路による構成：
Ｆ．他のバリエーション：
【００３２】
Ａ．システム構成  ：
図１は、実施例としての自動取引装置１００の概略構成を示す説明図である。ＡＴＭたる自動取引装置１００は、ユーザの操作に応じて現金の入出金や振込などの取引を行う装置である。自動取引装置１００は、操作ユニット２００へのユーザの操作に基づいて、ユーザと所定の取引を行う機能を奏する。ユーザは、操作ユニット２００を介して取引科目の選択、取引金額の指定、暗証番号等を入力することで、所望の取引を行うことができる。
【００３３】
なお、実施例で暗証番号は４桁の数字列であるものとして説明を行うが、かかる場合に限定されることはない。また、実施例では、暗証番号を入力する場合についての説明を中心に行うが、取引金額を入力する場合等についても同様である。
【００３４】
図中に破線で示す通り、自動取引装置１００は、取引に使用する種々のユニットを備えている。
カード取扱ユニット１０１は、いわゆるキャッシュカードなど金融機関で使用される種々の磁気ストライプカードに記録された情報を読みとる。これらのカードには、金融機関番号、顧客の口座番号などが所定のフォーマットで記録されており、この情報は、取引対象となる口座の特定、顧客の認証などに用いられる。通帳取扱ユニット１０２は、通帳の磁気ストライプカードに記録された情報を読み取ったり、通帳に入出金の記録を印字したりする。
【００３５】
顧客との紙幣の授受は、紙幣取扱ユニット１０３によって行われる。紙幣取扱ユニット１０３は、紙幣の入金時には、顧客が挿入した紙幣を鑑別し、金種ごとに分類して保管する。また、出金時には、顧客の指示した金額分の紙幣を繰り出し、入出金口から顧客に受け渡す。
【００３６】
操作ユニット２００は、取引のための情報表示を行うインタフェースと、顧客の操作を受けるインタフェースとを有する。図１には、操作ユニット２００の拡大図を併せて示した。操作ユニット２００は、キー機構２１０と、音声機構２３０と、表示機構２５０とを有する。
【００３７】
キー機構２１０は、数字０〜９に対応付けられた９個の数字キーと、無効キー２２０とを有する。例えば図１において、数字１に対応付けた数字キーは、数字キー２６０である。ユーザは、各数字に対応付けられた数字キーを順次押下することで、４桁の数値からなる暗証番号を入力する。ただし、数字キーの押下は、無効キー２２０が同時押下されない場合にのみ有効に機能する。
【００３８】
なお、キー機構２１０に代えて、ユーザの操作を機械的・音声的・電気的・光学的に取得する種々のスイッチやセンサ、液晶タッチパネル等を利用するものとしてもよい。
【００３９】
音声機構２３０は、「ピッ」という電子音を発する機構である。音声機構２３０は、スピーカや電子音発生回路等により構成される。電子音は、キー機構２１０の数字キーの押下に応じて発せられる。なお、電子音は、数字キーが無効キー２２０と同時押下される場合にも発せられる。
【００４０】
表示機構２５０は、液晶表示機構を利用して構成することができる。表示機構２５０は、アスタリスク「＊」を表示する機能を有する。表示されるアスタリスク２４０等は、数字キーの押下ごとに１個ずつ増加される。なお、アスタリスク２４０等の増加は、数字キーが無効キー２２０と同時押下される場合にも行われる。
【００４１】
なお、操作ユニット２００は本実施例では、表示機構２５０やキー機構２１０等の組み合わせで構成されるものとしたが、かかる場合に限定されることはない。表示機構２５０及びキー機構２１０は、液晶タッチパネルにより一体的に構成されるものとしてもよい。また、音声機構２３０は、操作ユニット２００と別体であるものとしてもよい。
【００４２】
各ユニットの動作は、制御ユニット３００によって制御される。制御ユニット３００は、内部にＣＰＵ、メモリ、ハードディスクを備えたマイクロコンピュータとして構成されている。なお、制御ユニット３００は、通信ユニット１０４と接続する。制御ユニット３００は、通信ユニット１０４により、ネットワークを介して接続するサーバ（図示せず）と通信を行う。制御ユニット３００は、当該通信を利用しつつ、ユーザの操作に応じた取引を実現する。例えば、当該通信を利用して前述の暗証番号を検証する。
【００４３】
Ｂ．機能ブロック構成：
図２は、自動取引装置１００の機能ブロック構成を示す説明図である。本実施例では、自動取引装置１００の機能ブロックは、制御ユニット３００のメモリ内に各機能を実現するためのプログラムを記録しておくことにより、ソフトウェア的に構築した。なお、自動取引装置１００の機能ブロックの全部又は一部は、それぞれハードウェア的に構築することも可能である。
【００４４】
制御部３１０は各機能ブロックを制御する。
【００４５】
カード制御部３０１はカード取扱ユニット１０１を制御する。同様に、通帳制御部３０２、入出金制御部３０３、通信部３０４は、各々、通帳取扱ユニット１０２、紙幣取扱ユニット１０３、通信ユニット１０４を制御する。
【００４６】
入力部３１１は、ユーザのキー入力に係る信号をキー機構２１０から受けることで、数字キーや無効キー２２０のユーザの押下を検知する。
【００４７】
音声部３１２は、音声機構２３０に電子音を発生せさる。また、表示部３１３は、表示機構２５０に表示を行わせる。制御部３１０は、入力部３１１におけるユーザの数字キーの押下の検知に応じて、電子音発生と表示とを各々行わせる。
【００４８】
記憶部３１４は、４桁数値の暗証番号を、入力部３１１におけるユーザのキー押下に応じて順次記憶する。４桁の数値が全て入力された後、制御部３１０は、当該暗証番号の検証を行う。検証は、通信部３０４を介した通信を利用しつつ行われる。
【００４９】
Ｃ．処理：
図３は、数値列入力処理を示すフローチャートである。当該処理により、４桁数値の暗証番号入力が行われる。
【００５０】
ステップＳａ０では、数字キーのキー押下を入力部３１１が検知する。
【００５１】
ステップＳａ１では、当該押下が、無効キー２２０との同時押下であるか否かが調べられる。制御部３１０は、無効キー２２０との同時押下であるか否かを、入力部３１１を介して知ることができる。
【００５２】
ステップＳａ２では、記憶部３１４の記憶内容の追加処理が行われる。ステップＳａ１で同時押下が検知された場合には、ステップＳａ２での記憶追加は行われない。
【００５３】
ステップＳａ３では、表示機構２５０の表示内容の変更が行われる。具体的にはアスタリスク「＊」が１つ追加表示される。当該追加は、ユーザのキー押下が、無効キー２２０との同時押下であるか否かに関わらず行われる。表示機構２５０に表示されるアスタリスク２４０の総数は数字キーの押下げの総数を表示する。
【００５４】
ステップＳａ４では、音声部３１２が電子音を発生させる。電子音の発生も、ユーザのキー押下が無効キー２２０との同時押下であるか否かに関わらず行われる。
【００５５】
ステップＳａ５では、記憶部３１４に４個の数値の記憶が完了したか否かを調べる。完了していればステップＳａ６で、制御部３１０が、当該４数値からなる暗証番号の検証を行う。４数値の入力が完了していなければ、ステップＳａ０の処理に戻って、数字キーの次の入力を取得する。
【００５６】
図４は、数値列入力処理の具体例を示す説明図である。図４では、ステップＳｂ１〜Ｓｂ５における数字キーの押下のタイミングごとに、音声・表示の出力の有無と、記憶部３１４の記憶状況とを示したものである。
【００５７】
図４のステップＳｂ１について、まず、数値１に対応する数字キー２６０（図１参照）が押下げられたことが図３のステップＳａ０で検知される。続けて、当該数字キーの押下は無効キー２２０との同時押下ではないことがステップＳａ１で判定される。数値１の入力は最初の入力であることから、何らの数値も記憶されていない記憶部３１４に対する、数値１の追加記憶がステップＳａ２で行われる。また、表示機構２５０の表示内容は、何も表示されていなかった状態から、１個の「＊」が表示された状態にステップＳａ３で変更される。電子音の発生もステップＳａ４で行われる。図４のステップＳｂ１の段階では、まだ１個の数値の入力しか完了していないので、ステップＳａ５の判定に基づいてステップＳａ０に処理が戻る。
【００５８】
図４のステップＳｂ２では、数値２に対応する数字キーの押下が行われる。これにより、表示機構２５０の表示内容が「＊＊」となり、記憶部３１４の記憶内容が「１２」となる。また、音声機構２３０の電子音が再び発生される。ステップＳｂ３における数値３の入力も同様で、表示内容が「＊＊＊」となるとともに、記憶部３１４の記憶内容が「１２３」となる。
【００５９】
図４のステップＳｂ４では、数値４に対応付けられた数値キーと無効キー２２０との同時押下が行われる。この場合、図３のステップＳａ１で数字キーの押下が無効キー２２０との同時押下であることが検知されるため、ステップＳａ２における記憶追加処理は行われない。したがって、記憶部３１４の記憶内容は「１２３」のままで維持される。ただし、表示機構２５０の表示内容はステップＳａ３で「＊＊＊＊」に変更され、また、ステップＳａ４で電子音の発生も行われる。
【００６０】
最後に図４のステップＳｂ５では、数値５の入力が、無効キー２２０との同時押下でなく単独で行われる。これにより、表示内容が「＊＊＊＊＊」となり、記憶内容が「１２３５」となる。記憶部３１４が４個の数値の数値列を記憶する状態となっていることがステップＳａ５で判るため、制御部３１０はステップＳａ６で暗証番号「１２３５」の検証を行う。
【００６１】
以上説明した自動取引装置１００によれば、ユーザの操作が第三者に見られる場合であっても、当該操作により入力される暗証番号を当該第三者に秘匿することができる。また、無効キー２２０の押下を全く行わない場合には、一般的なテンキーとして機能する。
【００６２】
なお、無効キー２２０は、数字キーとの同時押下でなく、単独に押下られるものとしてもよい。例えば、無効キー２２０の単独押下により、ステップＳａ２の記憶追加処理は行われないが、ステップＳａ３での表示処理とステップＳａ４での電子音発生とのみが行われるものとしてもよい。
【００６３】
また、実施例では、無効キー２２０を押下げている間の数字キーの押下が無効になるものとしたが、無効キー２２０の押下直後や直前の数字キーの押下が無効になるものとしてもよい。
【００６４】
無効キー２２０の押下直前の数字キーの押下が無効になる場合、図４に示した例において、ステップＳｂ４で数値４のキーが単独で押下され、当該押下の後、ステップＳｂ４〜Ｓｂ５の間に無効キー２２０が押下されることで、数値列「１２３５」が入力される。
【００６５】
また、無効キー２２０の押下直後の数字キーの押下が無効になる場合、図４に示した例において、ステップＳｂ４で数値４のキーが単独で押下され、当該押下の前に、ステップＳｂ３〜Ｓｂ４の間に無効キー２２０が押下されることで、数値列「１２３５」が入力される。なお、かかる場合、無効キー２２０の押下から所定の有効期限が経過した後の数字キーの押下は有効になるものとしてもよい。
【００６６】
無効キー２２０の押下の直後又は直前の数字キーの押下が無効になるものとする場合、表示変更や電子音発生は、無効キー２２０の単独押下と同時に行われるものとしてもよいし、数字キーの押下に対してのみ行われるものとしてもよい。
【００６７】
なお、自動取引装置１００は、フェイクの操作の形態・種類を記憶する設定部を有しているものとしてもよい。ここで当該設定は、ユーザごとに行うことが望ましい。例えば、設定された所定の数値や数値列についてはキーの押下げが無視されるものとしてもよい。かかる場合、図３のステップＳａ１における判定処理は、ユーザの実際の操作の形態・種類を、当該ユーザについて設定部に記憶された形態・種類と対比することで、ステップＳａ２の記憶追加処理を行うか否かを決めるものとすることができる。
【００６８】
Ｄ．２重キー：
図５は、２重キーを利用したキー入力処理を示す説明図である。
２重キー４００は、押下のモードが２つある。２重キー４００は、静電容量タイプのキー４０１とメカニカルキー４０２とを組み合わせて構成される。静電容量タイプのキー４０１は、ユーザの指等の接触・非接触に応じてオン・オフされるキーである。メカニカルキー４０２は、単に指等が接触するだけなく、一定の力が加えられることでオンになるキーである。
【００６９】
図５では、２重キー４００が深いタッチで押下げられた状態と、浅いタッチで押下げられた状態とについて示している。浅いタッチで押下げられた場合、静電容量タイプのキー４０１はオンとなるが、メカニカルキー４０２はオフのままである。深いタッチで押下げられた場合、静電容量タイプのキー４０１もメカニカルキー４０２もオンとなる。
【００７０】
なお、ここでは、静電容量タイプのキー４０１とメカニカルキー４０２とを組み合わせて２重キーを構成する場合について例示したが、かかる場合に限定されることはない。押下のモードが２つ以上あるキーであれば種々のものを利用することができる。
【００７１】
図５に示したキー入力処理は、図３に示した場合のステップＳａ０〜Ｓａ４の処理に相当する処理を、２重キー４００を利用しつつ行う処理である。図５の処理は、ステップＳａ１に代えてステップＳｃ１の処理を行う点で図３におけるキー入力処理と相違する。
【００７２】
ステップＳｃ１で押下モードが浅いタッチであることを検知した場合、ステップＳａ２における記憶追加処理を行わずに、ステップＳａ３以下の処理が行われる。図３のステップＳａ１で、無効キーとの同時押下げが検知されたときと同様である。また、ステップＳｃ１で押下モードが深いタッチであることを検知した場合、ステップＳａ２における記憶追加処理が行われる。図３のステップＳａ１で、数字キーの単独押下が検知された場合と同様である。
【００７３】
以上説明した、２重キー４００を利用した自動取引装置によれば、記憶追加が行われるキー押下と、記憶追加が行われないキー押下との区別を、第三者にとって困難なものとすることができる。また、ユーザは、深いタッチのみを利用することで、一般的な通常のインタフェースも利用することができる。
【００７４】
なお、操作に不習熟なユーザに対しては、浅いタッチのキー押下における、ステップＳａ４の電子音発生と、ステップＳａ３のアスタリスク表示の追加は行われないものとしてもよい。また、逆に、浅いタッチのキー押下であっても記憶追加が行われるような設定が可能であってもよい。
【００７５】
Ｅ．回路による構成：
図６は、変形例に係るキー機構２１０ａを示す説明図である。キー機構２１０ａは、数字キー２５０ａと無効キー２２０ａとを有する。数字キー２５０ａ及び無効キー２２０ａは、電気回路５００ａを介して、数字キー２５０ａの押下に係る信号を制御ユニット３００ａに送付する。なお、図６では説明の便宜上、数値１に対応付けられた数字キー２５０ａのみを例示したが、他の数値に係る数字キーについても同様である。
【００７６】
キー機構２１０ａは、記憶部３１４への数値記憶の追加に係る記憶追加信号と、表示機構２５０の表示及び音声機構２３０の音声発信に係る表示・音声信号とを制御ユニット３００ａに送付する。
【００７７】
数字キー２５０ａが押下げられていない場合、記憶追加信号及び表示・音声信号は共にオフである。数字キー２５０ａが押下げられた場合、表示・音声信号がオンとなる。記憶追加信号も原則的にオンとなるが、無効キー２２０ａとの同時押下の場合には、記憶追加信号はオフのままである。なお、数値１以外の数値キーについても同様であり、当該数値キーに係る記憶追加信号は、無効キー２２０ａの押下により遮断される。
【００７８】
図６のキー機構２１０ａを利用する場合における、キー入力処理（図３のステップＳａ０〜Ｓａ４）では、単に、ステップＳａ０で記憶追加信号を取得することに応じて、ステップＳａ２で記憶追加処理を行えば足りる。ステップＳａ１，Ｓａ３，Ｓａ４の処理は不要である。ただし、ステップＳａ３，Ｓａ４に相当する表示・音声処理は、表示・音声信号に応じて別途行う。
【００７９】
以上説明した、電気回路５００ａを有するキー機構２１０ａを利用することで、暗証番号の秘匿を簡単な装置構成で実現することができる。
【００８０】
なお、電気回路５００ａと同一又は類似の回路を、前述の２重キーと組み合わせて利用するものとしてもよい。
【００８１】
また、上述の場合、制御ユニット３００ａへの電気信号が電気スイッチにより遮断されるものとしたが、論理回路等によって電気的に遮断されるものとしてもよい。また、当該遮断が、機械的な機構により行われるものとしてもよい。例えば、無効キー２２０ａの押下げにより、数字キー２５０ａの押下と電気スイッチ５０１ａのオン・オフとが機構的に切り離される場合である。
【００８２】
以上、実施例に基づき本発明にかかるユーザ入力認識装置を説明してきたが、上述した発明の実施の形態は、本発明の理解を容易にするためのものであり、本発明を限定するものではない。本発明は、その趣旨並びに特許請求の範囲を逸脱することなく、変更、改良され得る。
【００８３】
【発明の効果】
本発明のユーザ入力認識装置によれば、自動取引装置のユーザの操作が第三者に見られる場合であっても、当該操作に係る取引の具体的内容を当該第三者に秘匿することができる。
【図面の簡単な説明】
【図１】実施例としての自動取引装置１００の概略構成を示す説明図である。
【図２】自動取引装置１００の機能ブロック構成を示す説明図である。
【図３】数値列入力処理を示すフローチャートである。
【図４】数値列入力処理の具体例を示す説明図である。
【図５】２重キーを利用したキー入力処理を示す説明図である。
【図６】変形例に係るキー機構２１０ａを示す説明図である。
【符号の説明】
１００…自動取引装置
１０１…カード取扱ユニット
１０２…通帳取扱ユニット
１０３…紙幣取扱ユニット
１０４…通信ユニット
２００…操作ユニット
２３０…音声機構
２５０…表示機構
２４０…アスタリスク
２１０…キー機構
２２０…無効キー
２６０…数字キー
３００…制御ユニット
３０１…カード制御部
３０２…通帳制御部
３０３…入出金制御部
３０４…通信部
３１０…制御部
３１１…入力部
３１２…音声部
３１３…表示部
３１４…記憶部
４００…２重キー
４０１…静電容量タイプのキー
４０２…メカニカルキー
２１０ａ…キー機構
２５０ａ…数字キー
２２０ａ…無効キー
５００ａ…電気回路
３００ａ…制御ユニット
５０１ａ…電気スイッチ
【図１】
2004185458.tif 000003
【図２】
2004185458.tif 000004
【図３】
2004185458.tif 000005
【図４】
2004185458.tif 000006
【図５】
2004185458.tif 000007
【図６】
2004185458.tif 000008